(57)【特許請求の範囲】
【請求項１】
少なくとも１つの第１の半リンク（１０）及び少なくとも１つの第２の半リンク（１１）を備える、ブレスレット（２）のための調節可能リンク（１）であって、前記少なくとも第１の半リンク（１０）及び前記少なくとも１つの第２の半リンク（１１）は、前記ブレスレット（２）の長手方向（Ｄ）内で互いに対して組み付け、移動するように構成し、調節手段を備える、調節可能リンク（１）において、
前記調節可能（１）リンクは、互いに係留する組立体を形成するように第２の半リンク（１１）の相補形係止手段（３１）と協働する第１の半リンク（１０）の係止手段（３０）を備え、前記第１の半リンク（１０）は、前記係止手段である、前記第１の半リンク（１０）の前記長手方向（Ｄ）内に延在する貫通孔（３０）を備え、前記第２の半リンク（１１）は、前記第２の半リンク（１１）の前記長手方向（Ｄ）内に延在するねじ穴（３１）を備え、前記貫通孔（３０）及び前記ねじ穴（３１）は、前記長手方向（Ｄ）内で位置が合い、前記調節手段は、前記貫通孔（３０）を通るねじ（４０）を備え、前記ねじ（４０）を実装しているときに前記ねじ（４０）を前記ねじ穴（３１）にねじ入れると、前記第１の半リンク（１０）が前記長手方向（Ｄ）内で前記第２の半リンク（１１）に対して向かい合って重なって摺動移動することを特徴とする、調節可能リンク（１）。
【請求項２】
前記第１の半リンク（１０）は、前記ねじ（４０）を軸方向に保持する手段を備え、前記ねじが前記長手方向（Ｄ）において並進したときに動かないようにする、請求項１に記載の調節可能リンク（１）。
【請求項３】
前記調節手段は、前記貫通孔（３０）と前記ねじ穴（３１）との間に配設した弾性戻り手段を備え、前記第１の半リンク（１０）を前記第２の半リンク（１１）に対して適切な位置で維持するようにする、請求項１又は２に記載の調節可能リンク（１）。
【請求項４】
前記ねじ穴（３１）は、直径Ｄの第１の区分（３３）、及び前記第１の区分（３３）の前記直径Ｄよりも小さい、直径ｄの第２の区分（３４）を備え、前記第１の区分（３３）は、前記貫通孔（３０）と前記ねじ穴（３１）との間に配設した弾性戻り手段の第１の端部のためのくぼみを形成して前記第２の半リンク（１１）上に載置されるようにする、請求項１から３のうちいずれか一項に記載の調節可能リンク（１）。
【請求項５】
前記第１の半リンク（１０）は、前記貫通孔（３０）に直に近接して、前記ねじ（４０）の頭部（４１）を受け入れるように構成した座ぐり又は陥没部分（６０）を備える、請求項１から４のうちいずれか一項に記載の調節可能リンク（１）。
【請求項６】
前記ねじ（４０）の頭部（４１）を受け入れるように構成した座ぐり又は陥没部分（６０）は、前記ねじ（４０）のための阻止手段を備え、前記阻止手段は、前記ねじ（４０）の頭部（４１）のための相補形阻止手段を構成することを特徴とする、請求項１から５のうちいずれか一項に記載の調節可能リンク（１）。
【請求項７】
前記係止手段及び前記相補形係止手段は、前記第１の半リンク（１０）と一体である留め具（２０）、及び前記第２の半リンク（１１）と一体である陥没部（２１）を備え、前記陥没部（２１）は、前記留め具（２０）を受け入れ、前記第１の半リンク（１０）と前記第２の半リンク（１１）との間に係留組立体を形成するように構成する、請求項１から６のうちいずれか一項の記載の調節可能リンク（１）。
【請求項８】
前記留め具（２０）は、前記第１の半リンク（１０）及び前記第２の半リンク（１１）を分解可能にするように、弾性的に変形可能である、請求項７に記載の調節可能リンク（１）。
【請求項９】
前記留め具（２０）は、前記ブレスレットの前記長手方向（Ｄ）において前記陥没部（２１）内を移動可能である、請求項７又は８に記載の調節可能リンク（１）。
【請求項１０】
前記調節手段は、０ｍｍから３ｍｍの間を含む調節行程を有する、請求項１に記載の調節可能リンク（１）。
【請求項１１】
請求項１から１０のうちいずれか一項に記載の少なくとも１つの調節可能リンク（１）を備えることを特徴とする、ブレスレット・ストランド（１００、１００’）。
【発明の詳細な説明】
【技術分野】
【０００１】
本発明は、少なくとも１つの第１の半リンク及び少なくとも１つの第２の半リンクを含む、ブレスレットのための調節可能リンクに関し、少なくとも１つの第１の半リンク及び少なくとも１つの第２の半リンクは、ブレスレットの長手方向において互いに対して移動可能に組み付けるように構成する。
【背景技術】
【０００２】
一般に、ブレスレットは、所定位置に調節することができ、この調節により正確な再配置を可能し、ユーザは、フィンガと複数の穴のうちの１つとの協働を通じて、又はピンをラック上に引っ掛けることによって、又は同様のデバイスによって調節することができる。摩擦によって所定位置に維持される連続型の締結具は、正確な再配置を可能にしない。
【０００３】
ブレスレットの長さ部を微細に調節するデバイスは、特許文献１から公知であり、このデバイスは、クラスプ・カバー内に組み込まれ、２つの予め定義した位置内を割送りするデバイスを備え、横棒と一体であるばねボール・プッシュボタンを含み、横棒は、ブレスレットの一端に接続し、クラスプ・カバー内に設けた穴と協働するように構成する。
【０００４】
このデバイスは、横方向に作用し、一般に調節の実施に器具を必要とし、外から見えたままである。
【０００５】
少なくとも１つの第１の半リンク及び第２の半リンクを含む、ブレスレットのための調節可能リンクは、特許文献２からも公知であり、第１の半リンク及び第２の半リンクは、ブレスレットの長手方向において互いに対して移動可能に組み付けるように構成し、あらゆる特定の器具を用いずに調節することができる機構を有し、調節機構は隠れたままである。
【０００６】
このデバイスは、半リンクの位置の微細な連続調節を可能にせず、半リンクの間の接続部品内に開口が見える状態にするため、ブレスレットの外観を損なう。更に、このリンクは、調節の確実な係止を保証するものがないため、衝撃の際に緩むことがある。
【先行技術文献】
【特許文献】
【０００７】
【特許文献１】スイス特許６９９０６７号明細書
【特許文献２】欧州特許第２４８４２４４号明細書
【発明の概要】
【発明が解決しようとする課題】
【０００８】
こうした公知の技法の様々な欠点を克服することが、本発明の目的である。
【０００９】
より具体的には、ブレスレットの美的外観を損なわずに、ブレスレット・ストランドの長さ部に対し微細で連続的な調節をもたらす調節可能リンクを提供することが本発明の目的である。
【００１０】
少なくとも特定の一実施形態では、器具を必要とせず、実装が単純で安価である調節可能リンクを提供することも、本発明の目的である。
【課題を解決するための手段】
【００１１】
これらの目的は、本明細書の以下でより明らかになるであろう他の目的に加えて、ブレスレットのための調節可能リンクを用いる本発明により達成され、調節可能リンクは、少なくとも１つの第１の半リンク及び少なくとも１つの第２の半リンクを備え、少なくとも１つの第１の半リンク及び少なくとも１つの第２の半リンクは、ブレスレットの長手方向において互いに対し移動可能に組み付けるように構成し、調節手段を備える。
【００１２】
本発明によれば、リンクは、係留組立体を形成するように相補形係止手段と協働する係止手段を備え、第１の半リンクは、第１の半リンクの長手方向内に延在する貫通孔を備え、第２の半リンクは、第２の半リンクの長手方向内に延在するねじ穴を備え、貫通孔及びねじ穴は、長手方向内で位置が合い、調節手段は、貫通孔を通るねじを備え、ねじを実装しているときにねじをねじ穴にねじ入れると、第１の半リンクが長手方向内で第２の半リンクに対して並進移動する。
【００１３】
したがって、本発明の目的は、上記した様々な機能及び構造態様により、比較的小型であるが依然として長い行程長さ部を有する調節可能リンクを得ることである。
【００１４】
本発明の他の有利な変形形態によれば、
−第１の半リンクは、ねじを軸方向に維持する手段を備え、ねじが長手方向において並進したときに動かないようにし、
−連続調節手段は、貫通穴とねじ穴との間に配設した弾性戻り手段を備え、第１の半リンクを第２の半リンクに対して適切な位置で維持するようにし、
−ねじ穴は、直径Ｄの第１の区分、及び第１の区分の直径Ｄよりも小さい、直径ｄの第２の区分を備え、第１の区分は、ばねの第１の端部のためのくぼみを形成し、第２の半リンク上に載置されるようにし、
−第１の半リンクは、貫通孔に直に隣接して、ねじ頭部を受け入れるように構成した座ぐり部分を備え、
−くぼみは、ねじ頭部の相補形停止手段と協働するように構成した停止手段を備え、
−係止手段及び相補形係止手段は、第１の半リンクと一体である留め具、及び第２の半リンクと一体であるくぼみを備え、くぼみは、留め具を受け入れ、第１の半リンクと第２の半リンクとの間に係留組立体を形成するように構成し、
−留め具は、弾性的に変形可能であり、第１の半リンク及び第２の半リンクを分解可能にし、半リンクを交換可能にし、
−留め具は、ブレスレットの長手方向においてくぼみ内を移動可能であり、
−調節手段は、０ｍｍから３ｍｍの間を含む調節行程を有する。
【００１５】
本発明は、本発明による少なくとも１つの調節可能リンクを含むブレスレット・ストランドにも関する。
【００１６】
本発明の他の特性及び利点は、単なる例示的で非限定的な例として示される本発明の特定の実施形態の以下の説明、及び添付の図面を読めばより明らかになるであろう。
【図面の簡単な説明】
【００１７】
【図１】本発明による調節可能リンクの分解図である。
【図２ａ】収縮位置における、本発明による調節可能リンクの断面図である。
【図２ｂ】展開位置における、本発明による調節可能リンクの断面図である。
【図３】ねじの斜視図である。
【図４ａ】本発明による第１の半リンクの斜視図である。
【図４ｂ】本発明による第２の半リンクの斜視図である。
【図５ａ】本発明による少なくとも１つの調節可能リンクを含むブレスレット・ストランドの斜視図である。
【図５ｂ】本発明による少なくとも１つの調節可能リンクを含むブレスレット・ストランドの斜視図である。
【図６ａ】第２の実施形態による第１の半リンク及び第２の半リンクの断面図である。
【図６ｂ】第２の実施形態によるねじの斜視図である。
【発明を実施するための形態】
【００１８】
次に、図１、図２ａ、図２ｂ、図３、図４ａ、図４ｂ、図５ａ及び図５ｂを一緒に参照しながら、第１の特定の実施形態による調節可能リンクを以下で説明する。
【００１９】
本明細書では、本発明は、互いに対して移動することができる２つの相補形半リンクの簡略化した非制限的なケースで説明するが、当然、互いに対して移動するより多くの要素を備える本発明による調節可能リンクの作製が可能である。
【００２０】
リンク１は、互いに組み付けられる第１の半リンク１０及び第２の半リンク１１によって形成する。第１の半リンク１０及び第２の半リンク１１は、係止手段及び相補形係止手段の協働を通じて係留組立体を形成するように組み付ける。
【００２１】
本発明によれば、係止手段及び相補形係止手段は、第１の半リンク１０と一体である留め具２０、及び第２の半リンク１１と一体である陥没部２１を備え、陥没部２１は、留め具２０を受け入れ、第１の半リンク１０と第２の半リンク１１との間に係留組立体を形成するように構成する。
【００２２】
図面から観察できるように、第１の半リンク１０は、少なくとも１つの留め具２０を備え、少なくとも１つの留め具２０は、半リンク１０の下側面を形成し、長手方向Ｄ内に延在する。留め具２０の端部２２は、第１の半リンク１０の第２の半リンク１１に対する最小行程及び最大工程の範囲を定める停止手段を形成する。
【００２３】
第２の半リンク１１は、相補的に、留め具２０に対し相補形状であり第２の半リンク１１の厚さ部内に形成した陥没部２１を備える。図面に表すように、陥没部２１は、長方形であり、長手方向Ｄ内に延在し、陥没部２１の長さ方向で留め具２０の変位を可能にするように構成する。陥没部２１の長さ部は、留め具２０の端部２２と協働する垂直壁によって範囲を定める。
【００２４】
第１の半リンク１０の上側面及び第１の半リンク１０の下側面を形成する留め具２０は、第１の半リンク１０を陥没部２１内に受け入れるように構成したくぼみを形成する。したがって、第２の半リンク１１は、２つの半リンク１０及び１１の距離に関係なく第１の半リンク１０の上側面によって覆われる。そのような構成は、半リンク１０と１１との間に開口をなくすことを可能にし、申し分なく魅力的な外観をもたらす。
【００２５】
半リンク１０及び１１を互いに組み付けるには、第１の半リンク１０は、留め具２０を陥没部２１の内側に収容するように第２の半リンク１１に単に係止するだけでよく、すると、半リンク１０及び１１は、係留組立体を形成し、向かい合って互いに対して摺動させることができ、留め具２０は、ブレスレットの長手方向Ｄにおいて陥没部２１内を移動可能である。
【００２６】
有利には、留め具２０は、弾性的に変形可能であり、第１の半リンク１０を第２の半リンク１１から分解し、必要な場合に半リンクを交換することを可能にする。
【００２７】
本発明によれば、リンク１は、ブレスレットの長手方向Ｄにおける第１の半リンク１０及び第２の半リンク１１の位置を連続的に調節する手段を備え、最大位置と最小位置との間の所望の位置を調節し、ユーザに適切なブレスレットの長さが得られるようにする。
【００２８】
本明細書の上記で説明したように、第１の半リンク１０は、長手方向Ｄ内に延在する貫通孔３０を備え、第２の半リンク１１は、長手方向Ｄ内に延在する非貫通ねじ穴３１を備え、貫通孔３０及び非貫通ねじ穴３１は、長手方向Ｄで位置が合い、実質的に互いに対向し、連続調節手段と協働する。
【００２９】
図面で観察されるように、連続調節手段は、一方で頭部４１及びねじ付き本体４２を備えるねじ４０を備え、もう一方で非貫通ねじ穴３１内に作製したねじ山３２を備え、ねじ４０のねじ付き本体４２と協働し、ねじ４０は、連続的に、第１の半リンク１０の貫通穴３０に挿入し、次に第２の半リンク１１の非貫通ねじ穴３１にねじ入れるように構成する。
【００３０】
有利には、連続調節手段は、貫通穴３０と非貫通ねじ穴３１との間に配設したばね５０等の弾性戻り手段を備え、ねじ４０は、ばね５０に通し、第１の半リンク１０及び第２の半リンク１１が互いから離間する場合に第１の半リンク１０を第２の半リンク１１に対して適切な位置で維持するようにする。
【００３１】
図２ａ及び図２ｂに示すように、非貫通ねじ穴３１は、直径Ｄの第１の区分３３、及び第１の区分３３の直径Ｄよりも小さい、直径ｄの第２の区分３４を備える。第１の区分３３は、ばね５０の第１の端部を受け入れるように構成したくぼみを形成し、ばね５０が第１の区分３３の底部、したがって暗黙的には第２の半リンク１１上に載置されるようにする。
【００３２】
貫通孔３０も、貫通孔３０の直径よりも大きい直径Ｄの区分を備え、ばね５０のもう一方の端部を受け入れるように構成した相補形くぼみ３５を形成する。したがって、ばね５０は、第１の半リンク１０と第２の半リンク１１との間に収容され、ねじ４０が横断しており、半リンク１０及び１１が互いにより近くに移動した場合に圧縮されるか、又は半リンク１０及び１１が互いから更に離れた場合に弛緩するようにする。
【００３３】
本発明の一実施形態によれば、調節行程は、０ｍｍから３ｍｍの間を含む。第１の半リンク１０は、例えば、第２の半リンク１１に対して１ｍｍ変位することができる。当然、第１の半リンク１０は、０から３ｍｍの間の多数の位置、例えば０．２ｍｍ又は２．７ｍｍの位置を取ることができる。
【００３４】
図４ａで観察できるように、第１の半リンク１０は、貫通孔３０に直に近接して、ねじ４０の頭部４１を受け入れるように構成した座ぐり又は陥没部分６０を備える。この座ぐり部分６０は、ねじ頭部４１の接近を容易にして調節を実施するという利点を有する。例えば、手による調節を容易にするために、ねじ頭部４１がその周縁上に切欠きを有することを想定することができる。
【００３５】
本発明によるリンク１は、ねじ４０を阻止する手段及び相補形阻止手段を備える。
【００３６】
有利には、座ぐり部分６０は、ねじ頭部４１の相補形阻止手段と協働するように構成した阻止手段を受け入れる。
【００３７】
阻止手段は、ねじ頭部４１の裏側に、ねじ４０のねじ付き本体４２に直に近接して形成した少なくとも１つの突起４３を備え、少なくとも１つの突起４３は、突起４３に対し相補形状である少なくとも１つのくぼみ４４によって形成した相補形阻止手段と協働するように構成する。少なくとも１つのくぼみ４４は、貫通孔３０の入口で、ねじ４０の頭部４１のための座ぐり部分６０内に形成する。
【００３８】
図３及び図４ａで表すように、ねじ４０は、２つの突起４３を有し、相補形阻止手段は、２つのくぼみ４４を備える。そのような構成により、時計回り方向であれ、反時計回り方向であれ、ねじ４０を１８０°の回転毎に係止することが可能になる。
【００３９】
阻止手段及び相補形阻止手段は共に、ねじ４０の少なくとも１つの係止位置を画定し、ねじ４０を適切な位置で保持する。ねじ４０は、複数の位置を取ることができるため、複数の係止位置を取ることができる。
【００４０】
係止位置から係止解除位置に変更するには、ねじ４０を締める又は緩め、少なくとも１つの突起４３をそのくぼみ４４から外し、このようにして半リンク１０及び１１を一緒により近くに移動させるか又はより遠くに離す。図示のように、突起４３及びくぼみ４４は、ねじ４０の位置を半回転毎に係止する。例として、ねじ４０の半回転は、第１の半リンク１０の第２の半リンク１１に対する０．０５ｍｍの変位に相当し得る。
【００４１】
図面からわかるように、各半リンク１０及び１１は、装飾要素１４、１４’、１５及び１５’をその横面上に備える。これらの装飾要素１４、１４’、１５及び１５’は、半リンク１０及び１１が移動する際に装飾要素１４、１４’、１５及び１５’の平坦面上を摺動することによって互いに協働し、調節手段及び係止手段を隠すことを可能にする。
【００４２】
半リンク１０及び１１を互いに組み付ける際、装飾要素１４、１４’、１５及び１５’は、それらの平坦面上で互いに対して押圧される。
【００４３】
図１及び図４ｂで観察できるように、第２の半リンク１１は、もう一方の半リンクを第２の半リンク１１に組み付ける際に、ねじ頭部４１の通過を可能にするように構成したボア１１０を有する。
【００４４】
この種の組付けは、半リンク１０及び１１を互いに対し極めて容易に組み付けること、及びブレスレット・ストランドの有用な長さを迅速、確実且つ正確に調節することを可能にする。
【００４５】
ブレスレット又は１つの装身具又は計時器への半リンクの取付けに関して、各半リンク１０、１１は、別の半リンク、ホーン間への時計ケース又は中留への取付け手段１２、１３を備える。
【００４６】
次に、図６ａ及び図６ｂを一緒に参照しながら、第２の特定の実施形態による調節可能リンクを以下で説明する。
【００４７】
この第２の実施形態では、第１の半リンク１０及び第２の半リンク２０は、ほぼ同一である。図６ａからわかるように、第１の半リンク１０及び第２の半リンク２０は、座ぐり又は陥没部分を呈しており、ねじ４０を軸方向に保持する手段を配置し、ねじ４０が長手方向Ｄにおいて並進したときに動かないようにする。
【００４８】
図６ｂでより詳細に観察できるように、ねじ４０の軸方向保持手段は、シャフト４２に固定した保持リング４６を備え、頭部４１に近接して、保持リング４６は、中間ワッシャ４７及びばねワッシャ４５のための停止部を形成する。
【００４９】
この構成の結果として、ねじ４０は、並進移動時に係止され、第１の半リンク１０からねじが緩むことはない。というのは、ばねワッシャ４５がねじ４０の第２の半リンク１１に対するあらゆる意図しない緩みを防止するためである。
【００５０】
本発明は、本発明による少なくとも１つの調節可能リンクを備える少なくとも１つのブレスレット・ストランドにも関する。そのようなストランドは、図５ａ及び図５ｂに表し、図はそれぞれ、その最小長さを呈するブレスレット・ストランド１００及びその最大長さを呈するブレスレット・ストランド１００’を示す。
【００５１】
本発明の様々な態様の結果、単純な設計の調節可能リンク１が得られ、この調節可能リンクは、行程長さ部を容易に調節可能にし、したがってブレスレット・ストランド１００、１００’の長さ部も同様に容易に調節可能にする。
【００５２】
当然、本発明は、図示の例に限定されず、当業者には明らかであろう様々な変形形態及び修正形態が可能である。
【符号の説明】
【００５３】
１  調節可能リンク
１０  第１の半リンク
１１  第２の半リンク
１２  取付け手段
１３  取付け手段
１４  第１の半リンクの装飾要素
１４’  第１の半リンクの装飾要素
１５  第２の半リンクの装飾要素
１５’  第２の半リンクの装飾要素
２０  留め具
２１  陥没部
２２  留め具端部
３０  貫通孔
３１  非貫通ねじ穴
３２  ねじ山
３３  直径Ｄの第１の区分
３４  直径ｄの第２の区分
３５  くぼみ
４０  ねじ
４１  ねじ頭部
４２  ねじ付き本体
４３  突起
４４  くぼみ
４５  ばねワッシャ
４６  保持リング
４７  中間ワッシャ
５０  ばね
６０  座ぐり又は陥没部分
１００  ブレスレット・ストランド
１００’  ブレスレット・ストランド
１１０  ボア
Ｄ  ブレスレットの長手方向
【図１】
0006328198.tif 000002
【図２ａ】
0006328198.tif 000003
【図２ｂ】
0006328198.tif 000004
【図３】
0006328198.tif 000005
【図４ａ】
0006328198.tif 000006
【図４ｂ】
0006328198.tif 000007
【図５ａ】
0006328198.tif 000008
【図５ｂ】
0006328198.tif 000009
【図６ａ】
0006328198.tif 000010
【図６ｂ】
0006328198.tif 000011